(57)【要約】【課題】  基板の消費電流が電源供給ユニットの供給可能な電流の値を超えないようにし、異機種の電子機器にボードを挿しても不具合無く動作する電子機器を提供する。【解決手段】  第１の不揮発性記憶媒体７を有する基板１０と、第２の不揮発性記憶媒体１３を有し基板１０に電源を供給する電源供給ユニット１１とを備え、第１の不揮発性記憶媒体７に予め記憶された基板の消費電流の情報と、第２の不揮発性記憶媒体１３に予め記憶された電源供給ユニット１１が供給可能な電流の情報を読み取って比較し、その結果両者が一致、または電源供給ユニット１１の供給可能な電流情報の値の方が大きい時、第１の不揮発性記憶媒体７に予め記憶された基板１０で使用が許可された機能の情報を維持する制御を行う制御手段１を備えた。【選択図】  図１
2005173661.tif 000002
【特許請求の範囲】
【請求項１】
第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果両者が一致、または電源供給ユニットの供給可能な電流情報の値の方が大きい時、第１の不揮発性記憶媒体に予め記憶された基板で使用が許可された機能の情報を維持する制御を行う制御手段を備えたことを特徴とする電子機器。
【請求項２】
第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果どちらか一方の値が大きい時、第１の不揮発性記憶媒体に予め記憶された基板で使用が許可された機能の情報を書き換える制御を行う制御手段を備えたことを特徴とする電子機器。
【請求項３】
請求項１または２記載の電子機器において、制御手段は、情報を比較した結果、電源供給ユニットの供給可能な電流情報の値の方が大きい時、第１の不揮発性記憶媒体に予め記憶された基板で使用が許可された機能の情報を、使用する機能を拡張するように書き換えることを特徴とする電子機器。
【請求項４】
請求項１ないし３のいずれか記載の電子機器において、制御手段は、情報を比較した結果、電源供給ユニットの供給可能な電流情報の値の方が小さい時、基板の第１の不揮発性記憶媒体に予め記憶された基板で使用が許可された機能の情報を、機能の一部を停止、縮小するように書き換えることを特徴とする電子機器。
【請求項５】
請求項１ないし４のいずれか記載の電子機器において、制御手段は、機能を拡張する時は対象の機能へ電源供給を行い、機能を停止、縮小する時は対象の機能への電源供給を停止することを特徴とする電子機器。
【請求項６】
請求項１ないし５のいずれか記載の電子機器において、制御手段は、機能を拡張する時は動作周波数を上げ、機能を停止、縮小する時は動作周波数を下げることを特徴とする電子機器。
【請求項７】
請求項１ないし６のいずれか記載の電子機器において、制御手段は、第１の不揮発性記憶媒体に予め記憶された基板で使用が許可された機能の情報を書き換えた時、第１の不揮発性記憶媒体に記憶された基板の消費電流の情報を、書き換えられた機能での基板の消費電流に書き換えることを特徴とする電子機器。
【請求項８】
請求項１ないし７のいずれか記載の電子機器において、制御手段は、情報を比較した結果、電源供給ユニットの供給可能な電流情報の値の方が小さい時、供給する電流が足りない旨のメッセージを表示部に出力させることを特徴とする電子機器。
【発明の詳細な説明】
【技術分野】
【０００１】
本発明は、電源供給ユニット（ＰＳＵ）と、この電源供給ユニットより電源供給を受ける基板とが別基板の電子機器に関する。
【背景技術】
【０００２】
電源供給ユニットとこの電源供給ユニットより電源供給を受ける基板とが別基板の電子機器において、供給電圧を柔軟に変化させるもの、動作周波数に応じて電源電圧を変更するもの、電源電圧の状態に応じて逓倍クロックの周波数を可変するもの、ネットワークインターフェース装置で拡張インターフェース制御部のクロックの周波数を制御するものが知られている。
ＰＷＢ／ＰＣＢの共通化により、複写機等の電子機器において異機種間でもＰＷＢ／ＰＣＢがまったく変わらないとか、ＰＣＢでの一部のＩ／Ｆ有無など、ハード構成が類似しているものがある。また、ＰＷＢ／ＰＣＢが違っても電子機器本体とのＩ／Ｆが異機種間でも共通となっているものもある。このような場合、異機種の基板に載せ変えることがハード的には可能となる。関連する文献としては、次のようなものがある。
【特許文献１】特開２００１−３２４７５４公報
【特許文献２】特開２００２−５６６７４公報
【特許文献３】特開平１０−４１７９３号公報
【特許文献４】特開平１１−１５５５１号公報
【特許文献５】特開平１１−２８９７５４号公報
【特許文献６】特許第２６８７７１０号公報
【特許文献７】特許第３１３９８７９号公報
【特許文献８】特開２００１−３０５７４公報
【特許文献９】特開２００１−１４２５７９公報
【特許文献１０】特開２００１−１８４２９３公報
【特許文献１１】特開平１１−１６７４４１号公報
【発明の開示】
【発明が解決しようとする課題】
【０００３】
しかし、電子機器内（複写機等）の基板（コントローラ、ＢＣＵ等）をリサイクルして、異機種に付ける時、同仕様の機種間では問題が少ないが、仕様の違う異機種間では様々な問題が生じてしまう。また、異機種の基板に載せ変えても、基板の消費電流が電源供給ユニットの供給可能な電流の値を超えていると、動かなかったり不具合の原因となる。
本発明は、消費電流という点に注目し、基板の消費電流が電源供給ユニットの供給可能な電流の値を超えないようにし、異機種の電子機器にボードを挿しても不具合無く動作する電子機器を提供することを目的とする。
【課題を解決するための手段】
【０００４】
上記目的を達成するために、請求項１記載の発明は、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果両者が一致、または電源供給ユニットの供給可能な電流情報の値の方が大きい時、第１の不揮発性記憶媒体に予め記憶された基板で使用が許可された機能の情報を維持する制御を行う制御手段を備えた電子機器を最も主要な特徴とする。
請求項２記載の発明は、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果どちらか一方の値が大きい時、第１の不揮発性記憶媒体に予め記憶された基板で使用が許可された機能の情報を書き換える制御を行う制御手段を備えた電子機器を最も主要な特徴とする。
請求項３記載の発明は、請求項１または２記載の電子機器において、制御手段は、情報を比較した結果、電源供給ユニットの供給可能な電流情報の値の方が大きい時、第１の不揮発性記憶媒体に予め記憶された基板で使用が許可された機能の情報を、使用する機能を拡張するように書き換える電子機器を主要な特徴とする。
請求項４記載の発明は、請求項１ないし３のいずれか記載の電子機器において、制御手段は、情報を比較した結果、電源供給ユニットの供給可能な電流情報の値の方が小さい時、基板の第１の不揮発性記憶媒体に予め記憶された基板で使用が許可された機能の情報を、機能の一部を停止、縮小するように書き換える電子機器を主要な特徴とする。
請求項５記載の発明は、請求項１ないし４のいずれか記載の電子機器において、制御手段は、機能を拡張する時は対象の機能へ電源供給を行い、機能を停止、縮小する時は対象の機能への電源供給を停止する電子機器を主要な特徴とする。
請求項６記載の発明は、請求項１ないし５のいずれか記載の電子機器において、制御手段は、機能を拡張する時は動作周波数を上げ、機能を停止、縮小する時は動作周波数を下げる電子機器を主要な特徴とする。
請求項７記載の発明は、請求項１ないし６のいずれか記載の電子機器において、制御手段は、第１の不揮発性記憶媒体に予め記憶された基板で使用が許可された機能の情報を書き換えた時、第１の不揮発性記憶媒体に記憶された基板の消費電流の情報を、書き換えられた機能での基板の消費電流に書き換える電子機器を主要な特徴とする。
請求項８記載の発明は、請求項１ないし７のいずれか記載の電子機器において、制御手段は、情報を比較した結果、電源供給ユニットの供給可能な電流情報の値の方が小さい時、供給する電流が足りない旨のメッセージを表示部に出力させる電子機器を主要な特徴とする。
【発明の効果】
【０００５】
本発明は、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果両者が一致、または電源供給ユニットの供給可能な電流情報の値の方が大きい時、第１の不揮発性記憶媒体に予め記憶された基板で使用が許可された機能の情報を維持する制御を行い、また、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果どちらか一方の値が大きい時、第１の不揮発性記憶媒体に予め記憶された基板で使用が許可された機能の情報を書き換える制御を行うことで、所期の目的を達成することができる。
【発明を実施するための最良の形態】
【０００６】
以下、本発明の実施の形態を図面に従って説明する。
図１は本発明の実施の形態に係る電子機器のブロック図である。本電子機器は、基板１０と電源供給ユニット１１を備えている。
基板１０において、ＣＰＵ１に、システムバスを介して、ＲＯＭ２、ＲＡＭ３およびハードディスク４、タイマ５、操作表示部６、データ（基板１０の消費電流の情報、基板で使用が許可された機能の情報等）を保存する不揮発性メモリ（１）７、基板１０で使用されるオプションカード／デバイスのＩ／ＦであるオプションＩ／Ｆ８が接続されている。
ＣＰＵ１がこれら基板各部２〜８を統括制御する。タイマ５は、ＣＰＵ１が基板各部を制御する際に利用する機能であり、例えば、基板各部を同期させるためのタイミングをカウントする際に利用する。操作表示部６は、駆動条件、基板状態、入力条件などの各種情報を表示すると共にユーザによる機能選択などの選択入力や設定入力等の入力操作を行うためのタッチパネル付き表示操作ＬＣＤ（Liquid Crystal Display）で構成されている。
電源供給ユニット１１は基板１０へ電源供給を行う電源供給部１２と、電源供給ユニット１１が供給可能な電流のデータを保存する不揮発性メモリ（２）１３により構成されている。
【０００７】
図２は本発明の電子機器における動作フローチャートである。不揮発性メモリ（１）７に予め記憶された基板１０の消費電流の情報を取得する（Ｓ１）。不揮発性メモリ（２）９に予め記憶された基板１０に電源を供給する電源供給ユニット１１が供給可能な電流の情報を取得する（Ｓ２）。
基板１０の消費電力情報の値と電源供給ユニット１１の供給可能な電流情報の値を比較し、比較した結果が一致した時（Ｓ３でＹ）、終了する。基板１０の消費電流情報の値の方が大きい時（Ｓ４でＮ）、電源供給ユニット１１が供給可能な電流以下になるように機能を停止する（Ｓ５）。
機能を停止、縮小する時は、対象の機能への電源供給をストップする（例えばハードディスク４、オプションＩ／Ｆ８等への電源供給を停止する）、動作周波数を下げる（例えば、ＣＰＵ１、ＲＯＭ２、ＲＡＭ３、オプションＩ／Ｆ８等の動作周波数を下げる）等の動作を行う。
機能を停止、縮小したところに対応して、基板１０の不揮発性メモリ（１）７（他に不揮発性メモリを有する基板があるときは、そちらの不揮発性メモリでも可）に予め記憶された基板１０で使用が許可された機能の情報を書き換える（Ｓ６）。そして不揮発性メモリ（１）７に記憶された基板１０の消費電流の情報を書き換えられた機能を使用したときの消費電流に書き換える（Ｓ７）。
基板１０の消費電流情報の値の方が小さい時（Ｓ４でＹ）、機能を拡張するか、しないかを選択する（Ｓ８）。拡張しない時は終了する。拡張する時は、電源供給ユニット１１が供給可能な電流以下になるように機能を拡張する（Ｓ９）。機能を拡張する時は、対象の機能への電源供給を行う（例えば、電源供給のストップしていたハードディスク４、オプションＩ／Ｆ８等へ電源供給を行う）、動作周波数を上げる（例えば、ＣＰＵ１、ＲＯＭ２、ＲＡＭ３、オプションＩ／Ｆ８等の動作周波数を上げる）等の動作を行う。
機能を拡張したところに対応して、基板１０の不揮発性メモリ（１）７（他に不揮発性メモリを有する基板があるときは、そちらの不揮発性メモリでも可）に予め記憶された基板１０で使用が許可された機能の情報を書き換える（Ｓ１０）。そして不揮発性メモリ（１）７に記憶された基板１０の消費電流の情報を書き換えられた機能を使用したときの消費電流に書き換える（Ｓ１１）。
【０００８】
基板１０の不揮発性メモリ（１）７（他に不揮発性メモリを有する基板があるときは、そちらの不揮発性メモリでも可）には、基板１０で使用の許可された機能全て使用したときの消費電流値の情報、各デバイスの消費電流値の情報、各動作周波数での消費電流値の情報を持っている。
そして、機能を拡張する時は基板１０で使用の許可された機能全て使用したときの消費電流値の情報に拡張された機能の消費電流を加算し（動作周波数を上げる時は現在使用している動作周波数での消費電流と、動作周波数を上げた時の消費電流の差を加算）、機能を停止、縮小する時は、停止、縮小された機能の消費電流を減算する（動作周波数を下げる時は現在使用している動作周波数での消費電流と、動作周波数を下げた時の消費電流の差を減算）。
また本発明では、基板１０の消費電力情報の値と電源供給ユニット１１の供給可能な電流情報の値を比較し、電源供給ユニット１１の供給可能な電流情報の値の方が小さい時、供給する電流が足りない旨を出力する。
本電子機器内に組み込まれた基板（コントローラ、ＢＣＵ等）上にある不揮発性記憶媒体（ＮＶＲＡＭ、ＥＥＰＲＯＭ等）内に記憶されたこの基板の消費電流の値と、本体のＰＳＵの供給可能な電流の値を比較して、一致もしくは本体のＰＳＵの供給可能な電流の値が大きければ、基板はＰＳＵの供給する電流以下で動作させることができる。
また、比較した結果どちらか一方が大きい時、ある基板で使用する機能を拡張、または停止、縮小することにより、基板はＰＳＵの供給する電流以下で動作させることができる。基板はＰＳＵの供給する電流以下ならば、機能拡張を可能にする。また、ある基板はＰＳＵの供給する電流以下になるように、機能の一部を停止、縮小することによってＰＳＵの電流供給不足に対応する。
また、機能を拡張する時は対象の機能へ電源供給を行い機能拡張し、機能を停止、縮小する時は対象の機能への電源供給をストップしＰＳＵの電流供給不足に対応する。また、機能を拡張する時は動作周波数を上げることによりパフォーマンスを上げ、機能を停止、縮小する時は動作周波数を下げることによりＰＳＵの電流供給不足に対応する。
また、電源ＯＮ毎に基板とＰＳＵの電流値を比較する場合、機能を拡張、または縮小した時、前記基板の消費電流の情報を機能拡張、または縮小した時の消費電流に書き換え無いと、基板で使用が許可された機能の情報を電源ＯＮのたびに書き換えなければならない。本発明の電子機器では次回の電源ＯＮ時に行われるのは基板とＰＳＵの電流値の比較までである。
【図面の簡単な説明】
【０００９】
【図１】本発明の実施の形態に係る電子機器のブロック図である。
【図２】本発明の電子機器における動作フローチャートである。
【符号の説明】
【００１０】
１  ＣＰＵ（制御手段）
７  不揮発性メモリ（１）（第１の不揮発性記憶媒体）
１０  基板
１１  電源供給ユニット
１３  不揮発性メモリ（２）（第２の不揮発性記憶媒体）
【図１】
2005173661.tif 000003
【図２】
2005173661.tif 000004